(57)【要約】【目的】  対角像高１４．２４mmの画面サイズのデジタル一眼レフカメラ用に適した、短焦点距離端の画角が８０゜以上であり、変倍比が２．５を超える広角ズームレンズ系を得る。【構成】  物体側から順に、負の第１レンズ群、正の第２レンズ群、負の第３レンズ群及び正の第４レンズ群からなり、短焦点距離端から長焦点距離端へのズーミングに際し、第１レンズ群と第２レンズ群との間隔は減少し、第２レンズ群と第３レンズ群との間隔は拡大し、第３レンズ群と第４レンズ群との間隔は減少し、第２、第３、第４レンズ群はそれぞれ物体側に移動し、次の条件式（１）乃至（４）を満足する広角ズームレンズ系。（１）１．２＜｜ｆ１／ｆｗ｜＜２．０（２）１．５＜ｆ２／ｆｗ＜２．２（３）２．５＜｜ｆ３／ｆｗ｜＜３．６（４）３．２＜ｆ４／ｆｗ＜４．７但し、ｆｉ；第ｉレンズ（ｉ＝１〜４）の焦点距離（ｆ１＜０、ｆ３＜０）、ｆｗ；短焦点距離端における全系の焦点距離。【選択図】      図１
2004354980.tif 000002
【特許請求の範囲】
【請求項１】
物体側から順に、負の第１レンズ群、正の第２レンズ群、負の第３レンズ群及び正の第４レンズ群からなり、
短焦点距離端から長焦点距離端へのズーミングに際し、第１レンズ群と第２レンズ群との間隔は減少し、第２レンズ群と第３レンズ群との間隔は拡大し、第３レンズ群と第４レンズ群との間隔は減少し、第２、第３、第４レンズ群はそれぞれ物体側に移動し、次の条件式（１）乃至（４）を満足することを特徴とする広角ズームレンズ系。
（１）１．２＜｜ｆ１／ｆｗ｜＜２．０
（２）１．５＜ｆ２／ｆｗ＜２．２
（３）２．５＜｜ｆ３／ｆｗ｜＜３．６
（４）３．２＜ｆ４／ｆｗ＜４．７
但し、
ｆｉ；第ｉレンズ（ｉ＝１〜４）の焦点距離（ｆ１＜０、ｆ３＜０）、
ｆｗ；短焦点距離端における全系の焦点距離。
【請求項２】
請求項１記載の広角ズームレンズ系において、次の条件式（５）を満足する広角ズームレンズ系。
（５）  １．０５＜ＴLw／ＴLt＜１．３０
但し、
ＴLw；短焦点距離端における第１レンズ群の物体側の面から像面までの距離、
ＴLt；長焦点距離端における第１レンズ群の物体側の面から像面までの距離。
【請求項３】
請求項１または２記載の広角ズームレンズ系において、第１レンズ群中に、少なくとも１面の非球面を含む広角ズームレンズ系。
【請求項４】
請求項１乃至３のいずれか１項記載の広角ズームレンズ系において、ズーミング中、第２レンズ群と第４レンズ群が一体に移動する広角ズームレンズ系。
【請求項５】
請求項１乃至４のいずれか１項記載の広角ズームレンズ系において、第４レンズ群は、少なくとも１枚の正レンズと、少なくとも１枚の負レンズを有し、その最も物体側の面が非球面からなる広角ズームレンズ系。
【請求項６】
請求項１乃至５のいずれか１項記載の広角ズームレンズ系において、開口絞りが第２レンズ群の物体側に位置し、ズーミング時に第２レンズ群と一体に移動する広角ズームレンズ系。
【請求項７】
請求項１乃至６のいずれか１項記載の広角ズームレンズ系において、第４レンズ群の最も像側のレンズが、像側に凸面を向けた正レンズである広角ズームレンズ系。
【請求項８】
請求項１乃至７のいずれか１項記載の広角ズームレンズ系において、短焦点距離端から長焦点距離端へのズーミングに際し、第１レンズ群は一旦像側に移動し、その後物体側に移動する広角ズームレンズ系。
【発明の詳細な説明】
【技術分野】
【０００１】
本発明は、一眼レフカメラ用として好適な広角ズームレンズ系に関し、ライカ版より小型の撮像素子（例えばＣＣＤ）を用いたデジタル一眼レフカメラ用に好適な広角ズームレンズ系に関する。
【背景技術】
【０００２】
銀塩フィルムを用いる一眼レフカメラにおいて、最も普及しているライカ版の画面サイズ（３６mm×２４mm）を有するＣＣＤは現在でも非常に高価である。そこで、像高比でライカ版サイズの０．７倍程度のサイズを有するＣＣＤがデジタル一眼レフカメラでよく使われている。画面サイズが小さくなると、広い画角を得るためには、より焦点距離の短いレンズが必要になる。
【０００３】
短焦点距離端の画角が８０゜以上に達する広角ズームレンズ系は既に存在するが、変倍比（ズーム比）が２倍程度しかない。特開２００１-３１８３１４号公報や、特開２００１-８３４２１号公報に記載の広角ズームレンズ系はこの例である。また、特開２０００-３３８３９７号公報や特開平１１-１７４３２８号公報に記載のものは、ズーム比が３倍程度あるが、画角が十分でない。
【０００４】
【特許文献１】特開２００１-３１８３１４号公報
【特許文献２】特開２００１-８３４２１号公報
【特許文献３】特開２０００-３３８３９７号公報
【特許文献４】特開平１１-１７４３２８号公報
【発明の開示】
【発明が解決しようとする課題】
【０００５】
本発明は、対角像高１４．２４mmの画面サイズのデジタル一眼レフカメラ用に適した、短焦点距離端の画角が８０゜以上であり、変倍比が２．５を超える広角ズームレンズ系を得ることを目的とする。
【課題を解決するための手段】
【０００６】
本発明による広角ズームレンズ系は、物体側から順に、負の第１レンズ群、正の第２レンズ群、負の第３レンズ群及び正の第４レンズ群からなり、短焦点距離端から長焦点距離端へのズーミングに際し、第１レンズ群と第２レンズ群との間隔は減少し、第２レンズ群と第３レンズ群との間隔は拡大し、第３レンズ群と第４レンズ群との間隔は減少し、第２、第３、第４レンズ群はそれぞれ物体側に移動し、次の条件式（１）乃至（４）を満足することを特徴としている。
（１）１．２＜｜ｆ１／ｆｗ｜＜２．０
（２）１．５＜ｆ２／ｆｗ＜２．２
（３）２．５＜｜ｆ３／ｆｗ｜＜３．６
（４）３．２＜ｆ４／ｆｗ＜４．７
但し、
ｆｉ；第ｉレンズ（ｉ＝１〜４）の焦点距離（ｆ１＜０、ｆ３＜０）、
ｆｗ；短焦点距離端における全系の焦点距離、
である。
【０００７】
第２レンズ群と第４レンズ群は、ズーミング中に一体に移動させることが可能であり、一体に移動させると、機械構成が簡単になり、偏心誤差が生じにくい。
【０００８】
本発明の広角ズームレンズ系は、加えて、次の条件式（５）を満足することが好ましい。
（５）  １．０５＜ＴLw／ＴLt＜１．３０
但し、
ＴLw；短焦点距離端における第１レンズ群の物体側の面から像面までの距離、
ＴLt；長焦点距離端における第１レンズ群の物体側の面から像面までの距離、
である。
【０００９】
本発明の広角ズームレンズ系は、第１レンズ群中に、少なくとも１面の非球面を含ませることにより、特に短焦点距離端における非点収差と歪曲収差を良好に補正することができる。
【００１０】
また、第４レンズ群には、少なくとも１枚の正レンズと、少なくとも１枚の負レンズを配置し、その最も物体側の面を非球面とすると、全ズーム域における収差補正が容易である。
【００１１】
開口絞りは、第２レンズ群の物体側に位置させ、ズーミング時に第２レンズ群と一体に移動させると、テレセントリック性の向上に有利である。
【００１２】
また、第４レンズ群の最も像側のレンズを、像側に凸面を向けた正レンズとすると、テレセントリック性を向上させることができる。
【００１３】
さらに、短焦点距離端から長焦点距離端へのズーミングに際し、第１レンズ群は一旦像側に移動し、その後物体側に移動すると好ましい。
【発明の効果】
【００１４】
本発明によれば、対角像高１４．２４mmの画面サイズのデジタル一眼レフカメラ用に適した、短焦点距離端の画角が８０゜以上であり、変倍比が２．５を超える広角ズームレンズ系を得ることができる。
【発明を実施するための最良の形態】
【００１５】
本発明は、広画角でバックフォーカスが長いズームレンズ系として、物体側から順に負正負正のレンズ配置を採用した上で、変倍比（ズーム比）が２．５倍を超える広角ズームレンズ系を得たものである。
【００１６】
本発明によるズームレンズ系は、図３７の簡易移動図に示すように、物体側から順に、負の第１レンズ群１０、正の第２レンズ群２０、負の第３レンズ群３０、及び正の第４レンズ群４０からなっており、短焦点距離端（Ｗ）から長焦点距離端（Ｔ）へのズーミングに際し、第１レンズ群１０と第２レンズ群２０との間隔は減少し、第２レンズ群２０と第３レンズ群３０との間隔は拡大し、第３レンズ群３０と第４レンズ群４０との間隔は減少し、さらに、第２レンズ群２０、第３レンズ群３０及び第４レンズ群４０はそれぞれ物体側に移動する。また、短焦点距離端から長焦点距離端へのズーミングに際し、第１レンズ群１０は、一旦像側に移動し、その後物体側に移動する。そして、短焦点距離端における全長が長焦点距離端における全長より長い。フォーカシングは第１レンズ群１０で行う。第２レンズ群２０と第４レンズ群４０は、一体に移動させることが可能であり、一体に移動させると機械構成が簡単になり、偏心誤差を小さくすることができる。絞りＳは、第２レンズ群２０の前方（物体側）にあって、第２レンズ群２０と一緒に移動する。
【００１７】
条件式（１）は、第１レンズ群の焦点距離（パワー）を規定している。条件式（１）の下限を超えて第１レンズ群のパワーが強くなると、短焦点距離端での全長を短くすることができるが、コマ収差、歪曲収差が大きくなる。上限を超えて第１レンズ群の屈折力が弱くなると、ズーミング時の移動量が大きくなり、全長の増大を招く。
【００１８】
条件式（２）は、第２レンズ群の焦点距離（パワー）を規定している。条件式（２）の下限を越えて第２レンズ群のパワーが強くなると、ズーミングに伴う各収差の変化量が大きくなってしまう。上限を越えて第２レンズ群のパワーが弱くなると、十分な変倍比を確保することが困難となる。
【００１９】
条件式（３）は、第３レンズ群の焦点距離（パワー）を規定している。条件式（３）の下限を超えて第３レンズ群のパワーが強くなると、球面収差の補正が過剰になるとともに、コマ収差が大きくなる。上限を超えて第３レンズ群の屈折力が弱くなると、ズーミング時の移動量が大きくなり、全長の増大を招く。
【００２０】
条件式（４）は、第４レンズ群の焦点距離（パワー）を規定している。条件式（４）の下限を超えて第４レンズ群のパワーが強くなると、コマ収差、非点収差が大きくなり、長いバックフォーカスを得ることが困難になる。上限を超えて第４レンズ群の屈折力が弱くなると、非点収差・歪曲収差の補正が十分でなくなる。
【００２１】
本発明の広角ズームレンズ系は、より好ましくは、条件式（１）乃至（４）に代えて、次の条件式（１’）乃至（４’）を満足するのがよい。
（１’）１．４＜｜ｆ１／ｆｗ｜＜１．８
（２’）１．７＜ｆ２／ｆｗ＜２．０
（３’）２．７＜｜ｆ３／ｆｗ｜＜３．０
（４’）３．４＜ｆ４／ｆｗ＜４．３
【００２２】
条件式（５）は、第１レンズ群の移動量を規定している。条件式（５）の下限を越えると、短焦点距離側における第１レンズ群の繰り出し量（第１レンズ群の最も物体側の面から像面までの長さが最も短くなるズームポジション位置からの第１レンズ群の移動量）が不十分で、バックフォーカスの確保と収差補正が困難となる。上限を越えると、繰り出し量が大きくなりすぎて、画面周辺部の光量を確保するために、レンズ径の増大を招く。
【００２３】
本発明の広角ズームレンズ系は、第１レンズ群中に、少なくとも１面の非球面を含ませることにより、特に短焦点距離端における非点収差と歪曲収差を良好に補正することができる。非球面レンズは、非球面ガラスモールドレンズ、非球面樹脂モールドレンズ、球面ガラスレンズに樹脂層から成る非球面層を付着させたハイブリッドレンズのいずれから構成してもよい。
【００２４】
また、全ズーム域に渡って、球面収差、コマ収差を良好に補正するためには、第２レンズ群以降に非球面を用いるのが効果的であり、かつ、特に画角の広い短焦点距離端における各収差をバランスよく補正するためには、第４レンズ群に非球面を用いるのがより効果的である。また、ズーミング中の色収差の発生を抑えるためには、第４レンズ群が正レンズと負レンズの両方を持つことが必要である。
【００２５】
さらに、第４レンズ群は、第２レンズ群とズーミング中一体に移動させた上で、最も物体側の面を非球面とすることが、全ズーム域における収差補正を容易にするために好ましい。一般に非球面レンズは、その形状の複雑さから偏心による影響が球面レンズより大きい。第２、第４レンズ群を一体に移動させる構成においては、この一体群の中心付近に非球面を配置すると、偏心による影響を小さくすることができる。すなわち、第４レンズ群の最も物体側の面を非球面とする。
【００２６】
開口絞りは、負正負正のレンズ構成では第２レンズ群と第３レンズ群の間に配置するのが一般的であるが、第２レンズ群の物体側に位置させ、ズーミング時に第２レンズ群と一体に移動させると、像面から射出瞳迄の距離を大きくとることができ、テレセントリック性の向上に有利である。さらに、絞りが第１レンズ群に近づくことにより、広角化に伴う第１レンズ群のレンズ径の増大を抑えることができる。
【００２７】
また、第４レンズ群の最も像側のレンズを、像側に凸面を向けた正レンズとすることが、テレセントリック性の向上に好ましい。
【００２８】
次に具体的な実施例を示す。諸収差図中、ＳＡは球面収差、ＳＣは正弦条件、球面収差で表される色収差（軸上色収差）図及び倍率色収差図中のｄ線、ｇ線、Ｃ線はそれぞれの波長に対する収差であり、Ｓはサジタル、Ｍはメリディオナルである。また、表中のＦNO.はＦナンバー、ｆは全系の焦点距離、Ｗは半画角（゜）、ｆB はバックフォーカス（最も像側のレンズ面から撮像面までの空気換算距離）、ｒは曲率半径、ｄはレンズ厚またはレンズ間隔、Ｎd はｄ線の屈折率、νはアッベ数を示す。
回転対称非球面は次式で定義される。
x=cy2/[1+[1-(1+K)c2y2]1/2]+A4y4+A6y6+A8y8 +A10y10+A12y12・・・
（但し、ｘは非球面形状、ｃは曲率（１／ｒ）、ｙは光軸からの高さ、Ｋは円錐係数、Ａ４、Ａ６、Ａ８、・・・・・は各次数の非球面係数）
【実施例１】
【００２９】
図１乃至図４は、本発明の広角ズームレンズ系の実施例１を示している。図１、図３はそれぞれ、短焦点距離端、長焦点距離端におけるレンズ構成を示し、図２、図４はそれぞれ、図１、図３のレンズ構成における諸収差を示している。表１はその数値データである。第１レンズ群１０は、物体側から順に、物体側に凸の負のメニスカスレンズ１１と、物体側に凸の負のメニスカスレンズ１２と、物体側に凸のパワーの弱い負メニスカスレンズ１３と、両凸正レンズ１４とからなり、第２レンズ群２０は、物体側から順に、両凸正レンズ２１と、物体側から順に位置する両凸正レンズ２２と負レンズ２３の貼合せレンズとからなり、第３レンズ群３０は、物体側から順に位置する正レンズ３１と負レンズ３２の貼合せレンズからなり、第４レンズ群４０は、両凸正レンズ４１と、物体側から順に位置する負レンズ４２と正レンズ４３の貼合せレンズとからなっている。第４レンズ群４０中、最も物体側の正レンズ４１は、その物体側の凸面に薄い樹脂層を接合した非球面レンズである。絞りＳは第２レンズ群２０の物体側（第９面の前方）１．５０の位置にある。
【００３０】
（表１）
FNo.= 1:4.0-4.3-4.9-5.8
f=16.40-22.60-32.00-43.70
W=42.1-32.5-23.9-17.9
fB=37.34-42.79-50.61-60.76
TLw=150.96
TLt=135.03
面 No.   ｒ          ｄ        Nd         ν
1       35.000      1.62    1.77250     49.6
2       16.000      9.96
3      430.160      1.50    1.71300     53.9
4       24.750      2.02
5       32.579      2.20    1.52538     56.3
6*      29.990      4.86
7       90.458      3.00    1.80518     25.4
8     -198.474   44.25-26.33-12.94-4.90
9       50.501      2.72    1.48749     70.2
10     -50.501      1.78
11      39.866      4.43    1.48749     70.2
12     -21.700      1.30    1.64769     33.8
13     -70.280    3.20-6.43-11.29-16.19
14     -54.610      2.35    1.80518     25.4
15     -17.593      1.40    1.76200     40.1
16     110.000   15.40-12.16-7.30-2.40
17*    122.122      0.24    1.52972     42.7
18     133.300      4.56    1.61272     58.7
19     -29.610      0.20
20    -552.040      1.30    1.80610     33.3
21      21.243      5.34    1.48749     70.2
22     -70.280       -
*は回転対称非球面。
非球面データ（表示していない非球面係数は0.00である。）；
面No.   Ｋ              Ａ４            Ａ６           Ａ８
6   -0.10000×10     0.25000×10-4  -0.13100×10-7  -0.11300×10-9
17  -0.10000×10    -0.16200×10-4
【実施例２】
【００３１】
図５乃至図８は、本発明の広角ズームレンズ系の実施例２を示している。図５、図７はそれぞれ、短焦点距離端、長焦点距離端におけるレンズ構成を示し、図６、図８はそれぞれ、図５、図７のレンズ構成における諸収差を示している。表２はその数値データである。基本構成は、実施例１と同様である。絞りＳは第２レンズ群２０の物体側（第９面の前方）１．５０の位置にある。
【００３２】
（表２）
FNo.= 1: 4.0-4.3-4.9-5.8
f= 16.40-22.61-32.00-43.70
W= 42.1-32.4-23.8-17.9
fB= 37.00-42.36-50.01-60.07
TLw=150.60
TLt=134.80
面 No.   ｒ          ｄ        Nd         ν
1       36.318      1.60    1.77250     49.6
2       16.009      9.49
3      385.443      1.50    1.71300     53.9
4       26.268      2.66
5       42.801      2.20    1.52538     56.3
6*      35.253      4.06
7       99.923      3.22    1.80518     25.4
8     -163.364   43.78-25.96-12.76-4.90
9       51.556      2.82    1.48749     70.2
10     -43.211      1.44
11      36.582      4.61    1.48749     70.2
12      23.153      1.30    1.64769     33.8
13    -106.046    3.82-7.10-12.04-16.92
14     -51.251      2.37    1.80518     25.4
15     -16.159      1.40    1.76200     40.1
16      98.084   15.40-12.11-7.18-2.30
17*    116.716      0.24    1.52972     42.7
18     116.716      4.61    1.62041     60.3
19     -30.880      0.10
20    -302.393      1.30    1.80610     33.3
21      22.199      5.69    1.48749     70.2
22     -51.460       -
*は回転対称非球面。
非球面データ（表示していない非球面係数は0.00である。）；
面No.   Ｋ             Ａ４             Ａ６             Ａ８
6   -0.10000×10   -0.24974×10-4    -0.21336×10-8   -0.14338×10-9
17  -0.10000×10   -0.15242×10-4
【実施例３】
【００３３】
図９乃至図１２は、本発明の広角ズームレンズ系の実施例３を示している。図９、図１１はそれぞれ、短焦点距離端、長焦点距離端におけるレンズ構成を示し、図１０、図１２はそれぞれ、図９、図１１のレンズ構成における諸収差を示している。表３はその数値データである。基本構成は、実施例１と同様である。絞りＳは第２レンズ群２０の物体側（第９面の前方）１．４０の位置にある。
【００３４】
（表３）
FNo.= 1:4.0-4.2-4.9-5.6
f=16.40-22.60-32.00-43.70
W=42.1-32.5-23.8-17.9
fB=37.02-42.20-49.59-59.67
TLw=151.05
TLt=135.29
面 No.   ｒ          ｄ        Nd         ν
1       35.799      1.66    1.77250     49.6
2       16.076      9.38
3      607.468      1.50    1.72916     54.7
4       26.970      2.64
5       42.654      2.22    1.52538     56.3
6*      34.745      3.84
7       90.420      4.35    1.80518     25.4
8     -192.864   42.81-25.20-12.15-4.40
9       51.831      3.50    1.48749     70.2
10     -43.865      1.86
11      35.592      4.80    1.48749     70.2
12     -23.007      1.30    1.65199     33.6
13    -102.151    3.46-6.88-12.01-16.86
14     -51.739      2.35    1.80518     25.4
15     -16.710      1.20    1.76200     40.4
16      94.531   15.40-11.98-6.85-2.00
17*    108.561      0.10    1.52972     42.7
18     108.561      4.49    1.61800     63.4
19     -30.142      0.23
20    -256.211      1.30    1.80100     35.0
21      21.927      5.62    1.48749     70.2
22     -52.380       -
*は回転対称非球面。
非球面データ（表示していない非球面係数は0.00である。）；
面No.   Ｋ             Ａ４            Ａ６            Ａ８
6   -0.10000×10   -0.23784×10-4   -0.31853×10-8  -0.12123×10-9
17  -0.10000×10   -0.15466×10-4    0.68345×10-11
【実施例４】
【００３５】
図１３乃至図１６は、本発明の広角ズームレンズ系の実施例４を示している。図１３、図１５はそれぞれ、短焦点距離端、長焦点距離端におけるレンズ構成を示し、図１４、図１６はそれぞれ、図１３、図１５のレンズ構成における諸収差を示している。表４はその数値データである。基本構成は、実施例１と同様である。絞りＳは第２レンズ群２０の物体側（第９面の前方）１．１８の位置にある。
【００３６】
（表４）
FNo.= 1:4.0-4.3-4.9-5.7
f=16.40-22.59-32.00-43.70
W=42.1-32.4-23.8-17.8
fB=37.04-42.09-49.50-59.63
TLw=151.00
TLt=134.77
面 No.   ｒ          ｄ        Nd         ν
1       35.101      1.50    1.76358     50.3
2       15.950      9.81
3    -1344.617      2.31    1.68759     56.0
4       26.465      2.08
5       38.777      2.25    1.52538     56.3
6*      33.469      3.90
7       90.020      2.73    1.80518     25.4
8     -196.521   43.42-25.68-12.45-4.59
9       53.811      3.73    1.51455     74.2
10     -47.369      4.94
11      33.381      3.18    1.48749     70.2
12     -23.149      1.54    1.65824     33.8
13     -90.200    2.91-6.39-11.50-16.31
14     -46.795      2.25    1.80451     25.5
15     -15.008      1.20    1.75235     38.1
16     103.858   15.40-11.92-6.81-2.00
17*    111.698      0.20    1.52972     42.7
18     111.698      3.98    1.60618     61.6
19     -30.179      0.10
20    -259.734      1.20    1.79791     36.3
21      21.132      5.35    1.48749     70.2
22     -52.280       -
*は回転対称非球面。
非球面データ（表示していない非球面係数は0.00である。）；
面No.   Ｋ            Ａ４           Ａ６              Ａ８
6   -0.10000×10  -0.24900×10-4  -0.19100×10-8    -0.13900×10-9
17  -0.10000×10  -0.15550×10-4
【実施例５】
【００３７】
図１７乃至図２０は、本発明の広角ズームレンズ系の実施例５を示している。図１７、図１９はそれぞれ、短焦点距離端、長焦点距離端におけるレンズ構成を示し、図１８、図２０はそれぞれ、図１７、図１９のレンズ構成における諸収差を示している。表５はその数値データである。基本構成は、実施例１と同様である。第４レンズ群４０中、最も物体側の正レンズ４１は物体側に非球面を持つ非球面ガラスモールドレンズである。絞りＳは第２レンズ群２０の物体側（第９面の前方）１．２７の位置にある。
【００３８】
（表５）
FNo.= 1:4.1-4.3-4.9-5.8
f=16.40-22.60-32.00-43.70
W=42.1-32.4-23.8-17.9
fB=37.00-42.16-49.68-59.77
TLw=150.94
TLt=134.56
面 No.   ｒ          ｄ        Nd         ν
1       35.401      1.65    1.77149     49.8
2       16.024      9.67
3     -758.886      2.20    1.69724     55.5
4       26.392      2.13
5       39.256      2.25    1.52538     56.3
6*      33.421      3.52
7       85.863      2.84    1.80518     25.4
8     -174.429   43.83-25.95-12.61-4.67
9       53.874      3.37    1.50486     80.0
10     -48.009      5.85
11      32.799      3.42    1.48749     70.2
12     -22.375      1.30    1.64498     34.0
13     -87.145    2.53-5.98-11.04-15.93
14     -47.119      2.19    1.80500     34.0
15     -15.637      1.20    1.75001     39.2
16     106.761   15.40-11.96-6.89-2.00
17*    113.933      3.94    1.59759     62.4
18     -28.720      0.10
19    -158.559      1.20    1.78817     37.1
20      21.445      5.35    1.48749     70.2
21     -50.586       -
*は回転対称非球面。
非球面データ（表示していない非球面係数は0.00である。）；
面No.   Ｋ            Ａ４           Ａ６              Ａ８
6   -0.10000×10  -0.24821×10-4  -0.84918×10-9    -0.13260×10-9
17  -0.10000×10  -0.15085×10-4  -0.19983×10-9
【実施例６】
【００３９】
図２１乃至図２４は、本発明の広角ズームレンズ系の実施例６を示している。図２１、図２３はそれぞれ、短焦点距離端、長焦点距離端におけるレンズ構成を示し、図２２、図２４はそれぞれ、図２１、図２３のレンズ構成における諸収差を示している。表６はその数値データである。基本構成は、実施例５と同様である。絞りＳは第２レンズ群２０の物体側（第９面の前方）１．５３の位置にある。
【００４０】
（表６）
FNo.= 1:4.0-4.3-4.9-5.7
f=16.40-22.60-32.00-43.70
W=42.1-32.4-23.8-17.8
fB=37.00-41.90-49.15-58.95
TLw=147.63
TLt=131.39
面 No.   ｒ          ｄ        Nd         ν
1       36.221      1.65    1.77000     50.7
2       15.957      9.57
3    -1895.923      2.20    1.65000     58.6
4       26.869      2.15
5       41.167      2.13    1.52538     56.3
6*      33.886      3.47
7       80.110      2.72    1.80518     25.4
8     -270.100   42.71-25.26-12.27-4.53
9       54.935      2.66    1.51244     74.1
10     -47.097      5.04
11      32.917      3.39    1.48749     70.2
12     -22.029      1.30    1.64529     34.0
13     -86.817    2.47-5.94-11.00-15.87
14     -46.169      2.19    1.80500     25.7
15     -15.282      1.20    1.74779     38.7
16     103.319   15.40-11.93-6.87-2.00
17*    113.762      3.78    1.60170     62.2
18     -28.977      0.10
19    -156.840      1.20    1.77924     37.1
20      21.194      5.30    1.48749     70.2
21     -47.996       -
*は回転対称非球面。
非球面データ（表示していない非球面係数は0.00である。）；
面No.   Ｋ            Ａ４           Ａ６              Ａ８
6   -0.10000×10  -0.24170×10-4  -0.39618×10-8    -0.13876×10-9
17  -0.10000×10  -0.14656×10-4   0.10445×10-8
【実施例７】
【００４１】
図２５乃至図２８は、本発明の広角ズームレンズ系の実施例７を示している。図２５、図２７はそれぞれ、短焦点距離端、長焦点距離端におけるレンズ構成を示し、図２６、図２８はそれぞれ、図２５、図２７のレンズ構成における諸収差を示している。表７はその数値データである。基本構成は、第２レンズ群２０が物体側から順に両凸正レンズ２１、２２と、物体側から順に位置する両凸正レンズ２３と負レンズ２４の貼合せレンズとからなる点を除き、実施例１と同様である。絞りＳは第２レンズ群２０の物体側（第９面の前方）１．６０の位置にある。
【００４２】
（表７）
FNo.= 1:4.1-4.1-4.1-4.1
f=16.30-22.60-31.90-43.70
W=42.2-32.4-23.8-17.8
fB=37.20-41.84-47.79-55.44
TLw=147.63
TLt=131.39
面 No.   ｒ          ｄ        Nd         ν
1       61.603      1.60    1.69680     55.5
2       18.301      9.20
3      115.695      1.50    1.71300     53.9
4       31.880      3.86
5       55.465      2.20    1.52538     56.3
6*      43.390      5.56
7      561.840      2.65    1.84666     23.8
8     -118.851   55.54-32.60-15.60-5.00
9      125.769      2.07    1.48749     70.2
10    -335.866      0.20
11      60.094      3.65    1.49700     81.6
12     -60.094      0.40
13      38.011      5.93    1.48749     70.2
14     -29.480      1.30    1.67270     32.1
15    -144.045   2.35-5.33-10.05-15.45
16     -60.055      3.05    1.80518     25.4
17     -16.694      1.20    1.76200     40.1
18      74.773   15.40-12.42-7.69-2.30
19*  -1915.812      0.10    1.52972     42.7
20   -1915.812      4.76    1.58913     61.2
21     -31.027      0.10
22     236.582      1.30    1.80610     33.3
23      19.571      5.88    1.48749     70.2
24     -56.464       -
*は回転対称非球面。
非球面データ（表示していない非球面係数は0.00である。）；
面No.   Ｋ            Ａ４           Ａ６              Ａ８
6   -0.10000×10  -0.17340×10-4  -0.27573×10-8    -0.56998×10-10
19  -0.10000×10  -0.10443×10-4   0.16453×10-8
【実施例８】
【００４３】
図２９乃至図３２は、本発明の広角ズームレンズ系の実施例８を示している。図２９、図３１はそれぞれ、短焦点距離端、長焦点距離端におけるレンズ構成を示し、図３０、図３２はそれぞれ、図２９、図３１のレンズ構成における諸収差を示している。表８はその数値データである。基本構成は、実施例７と同様である。絞りＳは第２レンズ群２０の物体側（第９面の前方）１．６０の位置にある。
【００４４】
（表８）
FNo.= 1:4.1-4.1-4.1-4.1
f=16.30-22.59-31.90-43.70
W=42.2-32.5-23.9-17.8
fB=37.22-41.85-47.89-55.90
TLw=147.63
TLt=131.39
面 No.   ｒ          ｄ        Nd         ν
1       61.500      1.60    1.69680     55.5
2       18.346      8.79
3       89.373      1.50    1.71300     53.9
4       29.259      4.67
5       58.477      2.20    1.52538     56.3
6*      44.918      4.98
7     1012.500      2.60    1.84666     23.8
8     -108.664   54.81-32.14-15.38-5.01
9      104.800      2.10    1.48749     70.2
10    -508.340      0.20
11      63.950      3.70    1.49700     81.6
12     -63.950      0.52
13      40.113      5.94    1.48749     70.2
14     -28.179      1.30    1.67270     32.1
15    -108.316   2.66-5.71-10.50-15.76
16     -58.917      3.23    1.80518     25.4
17     -16.614      1.20    1.76200     40.1
18      75.438   15.40-12.34-7.55-2.30
19*    278.456      0.10    1.52972     42.7
20     280.000      4.76    1.58913     61.2
21     -30.938      0.10
22     575.504      1.30    1.80610     33.3
23      20.240      5.71    1.48749     70.2
24     -58.125       -
*は回転対称非球面。
非球面データ（表示していない非球面係数は0.00である。）；
面No.   Ｋ            Ａ４           Ａ６              Ａ８
6   -0.10000×10  -0.17710×10-4  -0.45910×10-8    -0.56900×10-10
19  -0.10000×10  -0.11930×10-4   0.29100×10-8
【実施例９】
【００４５】
図３３乃至図３６は、本発明の広角ズームレンズ系の実施例８を示している。図３３、図３５はそれぞれ、短焦点距離端、長焦点距離端におけるレンズ構成を示し、図３４、図３６はそれぞれ、図３３、図３５のレンズ構成における諸収差を示している。表９はその数値データである。基本構成は、実施例７と同様である。絞りＳは第２レンズ群２０の物体側（第９面の前方）１．５０の位置にある。
【００４６】
（表９）
FNo.= 1:3.2-3.5-4.0-4.6
f=16.30-22.60-31.89-43.70
W=42.2-32.6-24.0-17.9
fB=38.14-43.21-50.06-59.33
TLw=147.63
TLt=131.39
面 No.   ｒ          ｄ        Nd         ν
1       35.000      1.60    1.77250     49.6
2       18.043     11.17
3      626.030      1.50    1.71300     53.9
4       27.506      3.93
5       47.906      2.20    1.52538     56.3
6*      37.860      5.69
7      142.427      2.99    1.80518     25.4
8     -164.920   52.33-30.74-14.81-4.90
9      388.486      1.48    1.58913     61.2
10    -328.902      0.20
11      83.050      2.97    1.48749     70.2
12     -57.083      0.50
13      34.155      5.29    1.48749     70.2
14     -28.116      1.30    1.66680     33.0
15    -112.249   2.14-5.31-10.17-15.24
16     -77.431      2.69    1.80518     25.4
17     -20.892      1.20    1.76200     40.1
18      81.895   15.40-12.23-7.37-2.30
19*    313.107      0.10    1.52972     42.7
20     313.107      4.76    1.58913     61.2
21     -31.160      0.10
22     124.786      1.30    1.80610     33.3
23      18.222      5.26    1.48749     70.2
24    -144.055       -
*は回転対称非球面。
非球面データ（表示していない非球面係数は0.00である。）；
面No.   Ｋ            Ａ４           Ａ６              Ａ８
6   -0.10000×10  -0.18163×10-4  -0.13623×10-8    -0.55096×10-10
19  -0.10000×10  -0.10883×10-4   0.29355×10-8
【００４７】
各実施例の各条件式に対する値を表１０に示す。
（表１０）
実施例１  実施例２  実施例３  実施例４  実施例５
条件式（1,1'）  1.55      1.54     1.53       1.51      1.52
条件式（2,2'）  1.90      1.88     1.88       1.86      1.87
条件式（3,3'）  3.15      2.91     2.87       2.89      2.94
条件式（4,4'）  3.83      3.50     3.45       3.64      3.72
条件式（５）    1.12      1.12     1.12       1.12      1.12
実施例６  実施例７  実施例８  実施例９
条件式（1,1'）  1.53      1.74     1.73       1.71
条件式（2,2'）  1.84      1.90     1.93       1.99
条件式（3,3'）  2.89      2.89     2.86       3.45
条件式（4,4'）  3.56      4.27     4.08       4.63
条件式（５）    1.12      1.24     1.23       1.19
全ての実施例は、条件式（１）乃至（５）を満足し、かつ諸収差も比較的よく補正されている。さらに、実施例９を除き、条件式（１’）乃至（４’）も満足している。
【図面の簡単な説明】
【００４８】
【図１】本発明による広角ズームレンズ系の実施例１の短焦点距離端におけるレンズ構成図である。
【図２】図１のレンズ構成の諸収差図である。
【図３】図１の広角ズームレンズ系の長焦点距離端におけるレンズ構成図である。
【図４】図３のレンズ構成の諸収差図である。
【図５】本発明による広角ズームレンズ系の実施例２の短焦点距離端におけるレンズ構成図である。
【図６】図５のレンズ構成の諸収差図である。
【図７】図５の広角ズームレンズ系の長焦点距離端におけるレンズ構成図である。
【図８】図７のレンズ構成の諸収差図である。
【図９】本発明による広角ズームレンズ系の実施例３の短焦点距離端におけるレンズ構成図である。
【図１０】図９のレンズ構成の諸収差図である。
【図１１】図９の広角ズームレンズ系の長焦点距離端におけるレンズ構成図である。
【図１２】図１１のレンズ構成の諸収差図である。
【図１３】本発明による広角ズームレンズ系の実施例４の短焦点距離端におけるレンズ構成図である。
【図１４】図１３のレンズ構成の諸収差図である。
【図１５】図１３の広角ズームレンズ系の長焦点距離端におけるレンズ構成図である。
【図１６】図１５のレンズ構成の諸収差図である。
【図１７】本発明による広角ズームレンズ系の実施例５の短焦点距離端におけるレンズ構成図である。
【図１８】図１７のレンズ構成の諸収差図である。
【図１９】図１７の広角ズームレンズ系の長焦点距離端におけるレンズ構成図である。
【図２０】図１９のレンズ構成の諸収差図である。
【図２１】本発明による広角ズームレンズ系の実施例６の短焦点距離端におけるレンズ構成図である。
【図２２】図２１のレンズ構成の諸収差図である。
【図２３】図２１の広角ズームレンズ系の長焦点距離端におけるレンズ構成図である。
【図２４】図２３のレンズ構成の諸収差図である。
【図２５】本発明による広角ズームレンズ系の実施例７の短焦点距離端におけるレンズ構成図である。
【図２６】図２５のレンズ構成の諸収差図である。
【図２７】図２５の広角ズームレンズ系の長焦点距離端におけるレンズ構成図である。
【図２８】図２７のレンズ構成の諸収差図である。
【図２９】本発明による広角ズームレンズ系の実施例８の短焦点距離端におけるレンズ構成図である。
【図３０】図２９のレンズ構成の諸収差図である。
【図３１】図２９の広角ズームレンズ系の長焦点距離端におけるレンズ構成図である。
【図３２】図３１のレンズ構成の諸収差図である。
【図３３】本発明による広角ズームレンズ系の実施例９の短焦点距離端におけるレンズ構成図である。
【図３４】図３３のレンズ構成の諸収差図である。
【図３５】図３３の広角ズームレンズ系の長焦点距離端におけるレンズ構成図である。
【図３６】図３５のレンズ構成の諸収差図である。
【図３７】本発明による広角ズームレンズ系のズーミング基礎軌跡を示す簡易移動図である。
【図１】
2004354980.tif 000003
【図２】
2004354980.tif 000004
【図３】
2004354980.tif 000005
【図４】
2004354980.tif 000006
【図５】
2004354980.tif 000007
【図６】
2004354980.tif 000008
【図７】
2004354980.tif 000009
【図８】
2004354980.tif 000010
【図９】
2004354980.tif 000011
【図１０】
2004354980.tif 000012
【図１１】
2004354980.tif 000013
【図１２】
2004354980.tif 000014
【図１３】
2004354980.tif 000015
【図１４】
2004354980.tif 000016
【図１５】
2004354980.tif 000017
【図１６】
2004354980.tif 000018
【図１７】
2004354980.tif 000019
【図１８】
2004354980.tif 000020
【図１９】
2004354980.tif 000021
【図２０】
2004354980.tif 000022
【図２１】
2004354980.tif 000023
【図２２】
2004354980.tif 000024
【図２３】
2004354980.tif 000025
【図２４】
2004354980.tif 000026
【図２５】
2004354980.tif 000027
【図２６】
2004354980.tif 000028
【図２７】
2004354980.tif 000029
【図２８】
2004354980.tif 000030
【図２９】
2004354980.tif 000031
【図３０】
2004354980.tif 000032
【図３１】
2004354980.tif 000033
【図３２】
2004354980.tif 000034
【図３３】
2004354980.tif 000035
【図３４】
2004354980.tif 000036
【図３５】
2004354980.tif 000037
【図３６】
2004354980.tif 000038
【図３７】
2004354980.tif 000039